(57)【要約】      （修正有）【課題】  可動ミラーのバウンドを確実に押さえ込む駆動機構を提供する。【解決手段】  可動ミラー１に設けられたミラーアップローラ５を揺動によって昇降させるミラーアップレバー１９と、該ミラーアップレバー１９を揺動可能にファインダ観察位置方向へ付勢し、ミラーアップスプリング１５による第２の付勢力で回動して可動ミラー１を退避位置へ移動させ、可動ミラー１が退避位置にある時にミラーアップレバー１９の保持を解除して第１の付勢力でファインダ観察位置へ復帰させるシャッタチャージレバー１１と、駆動源により駆動されてシャッタチャージレバー１１の回動を制御すると共にミラーアップスプリング１５を付勢するカム６ａと、ファインダ観察位置への復帰時に該揺動軌跡内への進入阻止解除でミラーアップローラ５を前記角度規制部材１０方向に抑え込むバウンド防止レバー２４とで構成した。【選択図】      図２
2007034048.tif 000002
【特許請求の範囲】
【請求項１】
角度規制部材に当接し、該角度規制部材方向への第１の付勢力を受けながら撮影光路内のファインダ観察位置と撮影のための退避位置との間を昇降可能な可動ミラーを有するカメラにおける可動ミラー駆動機構において、
前記可動ミラーに設けられたミラーアップローラに接触して揺動によって可動ミラーを昇降させるミラーアップレバーと、該ミラーアップレバーを揺動可能にファインダ観察位置方向へ付勢しながら保持し、ミラーアップスプリングによる第２の付勢力で回動して前記可動ミラーを退避位置へ移動させ、前記可動ミラーが退避位置にある時にミラーアップレバーの保持を解除して前記第１の付勢力で可動ミラーをファインダ観察位置へ復帰させるシャッタチャージレバーと、駆動源により駆動され、前記シャッタチャージレバーの回動を制御すると共に前記ミラーアップスプリングを付勢するカムと、前記ミラーアップローラの揺動軌跡方向への付勢力を与えられて前記シャッタチャージレバーの一端と前記ミラーアップローラとで前記揺動軌跡内への進入を阻止され、ファインダ観察位置への復帰時に該揺動軌跡内への進入阻止解除で前記ミラーアップローラを前記角度規制部材方向に抑え込むバウンド防止レバーとからなり、
前記可動ミラーの退避位置からファインダ観察位置への復帰時に前記バウンド防止レバーで前記可動ミラーのバウンドを防止したことを特徴とするカメラにおける可動ミラー駆動機構。
【請求項２】
前記ミラーアップレバーは前記可動ミラーの退避位置への移動時、その頂部で前記ミラーアップローラを退避位置方向へ抑え込むよう構成したことを特徴とする請求項１に記載したカメラにおける可動ミラー駆動機構。
【請求項３】
前記カムは、前記シャッタチャージレバー上に設けられたシャッタチャージレバー回動ローラに当接し、シャッタチャージレバーの回動を制御すると共に前記ミラーアップスプリングを付勢することを特徴とする請求項１または２に記載したカメラにおける可動ミラー駆動機構。
【請求項４】
前記バウンド防止レバーは、前記ミラーアップローラを前記角度規制部材方向に押さえ込んでバウンド防止を行った後に、前記シャッタチャージレバーの一端で前記揺動軌跡内から退避させられることを特徴とする請求項１乃至３のいずれかに記載したカメラにおける可動ミラー駆動機構。
【請求項５】
前記ミラーアップレバーをシャッタチャージレバーに保持し、ファインダ観察位置方向への移動に当たって前記保持を解除する機構は、前記シャッタチャージレバー上に設けられ、前記ミラーアップレバーに設けられた立ち曲げ部を保持するフック部を有し、前記シャッタチャージレバーの第２の付勢力による回動で自身の立ち曲げ部が保持されて前記ミラーアップレバーの保持を解除する部材であることを特徴とする請求項１乃至４のいずれかに記載したカメラにおける可動ミラー駆動機構。
【発明の詳細な説明】
【技術分野】
【０００１】
本発明は、カメラにおける可動ミラー駆動機構に関するもので、特に、一眼レフカメラカメラにおけるミラーボックス内で、可動ミラーが撮影光路内に位置するファインダ観察位置と撮影のための退避位置との間を昇降するようにした可動ミラーの駆動機構に関するものである。
【背景技術】
【０００２】
一眼レフカメラカメラには、周知のように、ファインダ観察位置と撮影のための退避位置との間を昇降するクイックリターンミラー機構として知られる可動ミラーが設けられている。図７はこの一眼レフカメラの一例概略断面図で、図８はその可動ミラーの駆動機構を含めたミラーボックスの斜視図であり、可動ミラー１は、このミラーボックス３内でファインダ観察位置と撮影のための退避位置との間を昇降する。すなわちこの可動ミラー１は、常時は、図示していない角度規制部材に当接して撮影光路内を遮るファインダ観察位置に位置し、レンズ７１から入射した光をピントグラス７５に結像させることで、その像をペンタプリズム７２やレンズ７３、７４を介してファインダ７６で観察できるようにし、また、撮影時のレリーズ動作に連動して撮影光路外へ退避して、撮影終了後に撮影光路内の前記ファインダ観察位置に復帰するようになっている。
【０００３】
この可動ミラー１は、ファインダ観察位置から退避位置へ上昇して上部位置規制部材に当接した際、および退避位置からファインダ観察位置へと下降して再度角度規制部材に到達した際、それぞれの場合に少なからぬバウンドを生じ、このバウンドに伴って可動ミラー１は一時的にファインダ７６に行くべき光線を違った角度で反射してしまい、ファインダ７６の像がブレてしまうという問題があった。このバウンドは、カメラの高速化に伴ってファインダ観察画像の消失時間を短くするため、可動ミラー１の移動速度を速くしたカメラほど大きくなり、ファインダ観察状態等に顕著な悪影響を及ぼす。
【０００４】
こういった、可動ミラー１の退避時およびファインダ観察位置への復帰時におけるバウンドを抑えることに関しては、従来より数多くの提案がなされており、例えば特許文献１には、可動ミラーが観察位置に復帰直後にのみ、可動ミラーを退避位置へ移動させるためのミラー跳ね上げピンの揺動軌跡内に移動し、ミラー跳ね上げピンを抑えてミラーのバウンドを防止するバウンド防止レバーを設けた一眼レフカメラカメラの可動ミラー昇降機構が示されている。
【０００５】
また特許文献２には、第１のレバーである可動ミラー駆動レバーに第２のレバーを介して連動して動作するバウンド抑制部材を第３のレバーに設け、ミラー保持枠を、退避位置（撮影位置）とファインダ観察位置（撮影待機位置）との間で往復駆動する際に生じるバウンド運動中に、バウンド抑制部材の一つの側面が主ミラー保持枠上に設けたバウンド抑制ピンのバウンド軌跡上を通過するように配置し、この側面とミラー受け部材であるミラー受けピンとの間で挾み込んでミラー保持枠のバウンド現象を抑制するようにした、ミラーバウンド防止装置が示されている。
【０００６】
さらに特許文献３には、可動ミラーをファインダ観察位置に保持する第１レバーと、該第１レバーに当接して可動ミラーが退避位置の方向に回動することを許容する第１カムと、可動ミラーがファインダ観察位置に復帰した際に第１レバーに設けた爪部による係止位置に移動し、可動ミラーのバウンドを阻止した後、この係止位置から退避するようにしたロックピンとを設け、可動ミラーのバウンドを防止するようにした可動ミラー駆動機構を有するカメラが示されている。
【０００７】
【特許文献１】実公昭６４−４１００号公報
【特許文献２】特開平１０−２０６９６８号公報
【特許文献３】特開２００５−１３４７６６号公報
【発明の開示】
【発明が解決しようとする課題】
【０００８】
しかしながらこれら特許文献１〜３に示された技術は、可動ミラーの駆動にスプリングの力を用い、動作スタートのための緊定解除とスプリングのチャージはすべて異なる機構によりおこなっているため、機構が複雑になっている。また、高速連続撮影時には、シャッタチャージ機構の動作タイミングをできるだけ早くしたいのだが、タイミングが早すぎると、可動ミラーのバウンド防止部材が可動ミラーのバウンドを押さえ込む前に可動ミラーの遥動軌跡内から退避してしまい、バウンドを防止することができない、という問題が生じるからタイミングを厳密に合わせる必要がある。
【０００９】
そのため本発明においては、動作スタートのための緊定解除とスプリングのチャージを同一の機構で行って簡略化を図り、可動ミラーのバウンド防止部材が常時、確実にバウンドを押さえ込めるよう構成したカメラにおける可動ミラー駆動機構を提供することが課題である。
【課題を解決するための手段】
【００１０】
上記課題を達成するため本発明になるカメラにおける可動ミラー駆動機構は、
角度規制部材に当接し、該角度規制部材方向への第１の付勢力を受けながら撮影光路内のファインダ観察位置と撮影のための退避位置との間を昇降可能な可動ミラーを有するカメラにおける可動ミラー駆動機構において、
前記可動ミラーに設けられたミラーアップローラに接触して揺動によって可動ミラーを昇降させるミラーアップレバーと、該ミラーアップレバーを揺動可能にファインダ観察位置方向へ付勢しながら保持し、ミラーアップスプリングによる第２の付勢力で回動して前記可動ミラーを退避位置へ移動させ、前記可動ミラーが退避位置にある時にミラーアップレバーの保持を解除して前記第１の付勢力で可動ミラーをファインダ観察位置へ復帰させるシャッタチャージレバーと、駆動源により駆動され、前記シャッタチャージレバーの回動を制御すると共に前記ミラーアップスプリングを付勢するカムと、前記ミラーアップローラの揺動軌跡方向への付勢力を与えられて前記シャッタチャージレバーの一端と前記ミラーアップローラとで前記揺動軌跡内への進入を阻止され、ファインダ観察位置への復帰時に該揺動軌跡内への進入阻止解除で前記ミラーアップローラを前記角度規制部材方向に抑え込むバウンド防止レバーとからなり、
前記可動ミラーの退避位置からファインダ観察位置への復帰時に前記バウンド防止レバーで前記可動ミラーのバウンドを防止したことを特徴とする。
【００１１】
このように、駆動源により駆動されるカムによってシャッタチャージレバーの回動を制御し、可動ミラーをファインダ観察位置と撮影のための退避位置との間を昇降させることで、動作スタートのための緊定解除とスプリングのチャージを同一の機構で行うことができ、構造の簡略化を図ることができると共に、バウンド防止レバーは必要なときのみ、それも確実に可動ミラーのバウンドを防止するタイミングでミラーアップローラを抑え、高速動作が可能で、しかもミラーのバウンドで像がぶれるということがないカメラにおける可動ミラー駆動機構を提供することができる。
【００１２】
そして、前記ミラーアップレバーは前記可動ミラーの退避位置への移動時、その頂部で前記ミラーアップローラを退避位置方向へ抑え込むよう構成したことにより、ファインダ観察位置復帰時だけでなく、可動ミラーが退避位置へ移動したときも可動ミラーのバウンドを抑えることができるカメラにおける可動ミラー駆動機構を提供することができる。
【００１３】
また、前記カムは、前記シャッタチャージレバー上に設けられたシャッタチャージレバー回動ローラに当接し、シャッタチャージレバーの回動を制御すると共に前記ミラーアップスプリングを付勢するようにしたことにより、非常に簡単な構成で全ての動作とミラーアップスプリングのチャージを行うことができるカメラにおける可動ミラー駆動機構が提供できる。
【００１４】
さらに、前記バウンド防止レバーは、前記ミラーアップローラを前記角度規制部材方向に押さえ込んでバウンド防止を行った後に、前記シャッタチャージレバーの一端で前記揺動軌跡内から退避させるようにすることで、このバウンド防止レバーの揺動軌跡内からの退避を行うシャッタチャージレバーは、カムによってミラーアップスプリングをチャージしながら比較的時間を掛けて最初の位置に戻るから、確実に可動ミラーのバウンドを抑えた後に揺動軌跡内からの退避を行うことができる。
【００１５】
また、前記ミラーアップレバーをシャッタチャージレバーに保持し、ファインダ観察位置方向への移動に当たって前記保持を解除する機構は、前記シャッタチャージレバー上に設けられ、前記ミラーアップレバーに設けられた立ち曲げ部を保持するフック部を有し、前記シャッタチャージレバーの第２の付勢力による回動で自身の立ち曲げ部が保持されて前記ミラーアップレバーの保持を解除する部材であることが本発明の好ましい実施形態である。
【発明の効果】
【００１６】
このように本発明によれば、カム駆動機構による制御のみで、可動ミラーの撮影光路外への退避動作と撮影光路内への復帰動作をすばやく行うと共に、可動ミラーの撮影光路内への復帰時のバウンドを確実に抑えることができ、ファインダ画像の不快な像流れやぶれを防ぐことができ、さらに、可動ミラーの素早い昇降動作によって高速撮影が可能なカメラにおける可動ミラー駆動機構を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１は、前記図７、図８に一例を示した一眼レフカメラ７０におけるミラーボックス３に組み込んだ本発明になる可動ミラー駆動機構の全体斜視図であり、図２（Ａ）はその可動ミラー駆動機構を構成する部品の全体配置図、図２（Ｂ）はさらに図２（Ａ）に示した配置図における前面の部品に隠されている部品を含めた全部品の輪郭を示した図で、これら図１、図２は、撮影可能な待機位置で可動ミラーが撮影光路内のファインダ観察位置にある状態を示している。図３乃至図５は、図３が本発明になる可動ミラー駆動機構における可動ミラーがシャッタレリーズ後に撮影光路外へ退避した退避状態を示し、同じく図４が撮影終了後に可動ミラーの駆動用スプリングをチャージする動作の初期で、ミラーダウン動作の緊定が外れて退避状態からファインダ観察位置へ復帰する直前の状態を示した図、図５はミラーダウン動作の緊定が外れて可動ミラーが撮影光路内のファインダ観察位置に復帰した直後の状態を示した図であり、それぞれの図において（Ａ）が全体斜視図、（Ｂ）が各部品の状態を示した図である。図６は本発明になる可動ミラー駆動機構の動作タイミングチャートで、カムギア６ａを３６０度回転にさせた場合の各レバーの動きと、カムギア接片７が摺動するコードパターンを示している。
【００１９】
図中１は、ファインダ観察位置にあるときに撮影光路内で４５度の傾きをもって位置している可動ミラーであり、この可動ミラー１は、上部の軸１ａによってミラーボックス地板（以下、ＭＢ地板と略称する）２とミラーボックス３（図８参照）に回動可能に軸支され、この軸１ａに近い側にミラーアップローラ５を回転可能に固定するミラーアップ軸１ｂ（図２参照）が設けられている。そしてこのミラーアップ軸１ｂは、ミラーダウンスプリング４（図２（Ｂ）には図示せず）によって時計回転方向に付勢され、可動ミラー１は角度規制部材であるミラーストップ１０に押圧されてファインダ観察位置に保持されている。
【００２０】
ミラーアップ軸１ｂに設けられたミラーアップローラ５は、可動ミラー１がファインダ観察位置にあるとき、可動ミラー１を退避位置に移動させるミラーアップレバー１９とわずかに離れているか軽く接触し、ミラーアップレバー１９が時計回りに回動することで、ＭＢ地板２に設けられたミラーアップローラ回動穴２ａ内を揺動して可動ミラー１を退避位置に移動させる。
【００２１】
ミラーアップレバー１９は、シャッタチャージレバー１１を固定している軸１４と同軸に回転自在に固定され、ミラーアップレバースプリング２０（図２（Ｂ）には図示せず）によって、シャッタチャージレバー１１に対して反時計方向に付勢されている。そしてこのミラーアップレバー１９は、その立ち曲げ部１９ａが、可動ミラー１をファインダ観察位置に戻すためのクイック・リターンレバー（以下、ＱＲレバーと略称する）２１におけるフック部２１ｂに保持され、可動ミラー１が退避位置へ移動（図３）するまで、シャッタチャージレバー１１と一体に回動するようになっている。またＱＲレバー２１は、シャッタチャージレバー１１に固定用の軸２２で回転自在に固定されていると共に、付勢用スプリング２３（図２（Ｂ）には図示せず）によって反時計方向に付勢されている
【００２２】
一方シャッタチャージレバー１１は、前記したように固定用の軸１４でＭＢ地板２に回転自在に固定され、スプリング掛け用の軸１８に掛けられたミラーアップスプリング１５（途中を点線で省略して示し、図２（Ｂ）では図示されていない）によって時計回転方向の付勢力を与えられ、さらに、他端にシャッタチャージピン１３が固定されて、図示されていないシャッタをチャージ位置に保持している。
【００２３】
またこのシャッタチャージレバー１１には、固定用の軸１４に対してシャッタチャージピン１３とほぼ逆側の位置に、固定用の軸１６によって固定されたシャッタチャージレバー回動ローラ１７が設けられ、このシャッタチャージレバー回動ローラ１７は、カムギア６における内側に固定された図２（Ｂ）に示したような略三角形状のカム６ａに当接し、該カム６ａが回転することによって移動してシャッタチャージレバー１１、ミラーアップレバー１９を回動させ、可動ミラー１のファインダ観察位置と退避位置への昇降と、図示していないシャッタの動作をコントロールする。
【００２４】
さらにこのシャッタチャージレバー１１における図上上方になる端部には、バウンド防止レバー２４の立ち曲げ部２４ａに当接してバウンド防止レバー２４をミラーアップローラ５の揺動軌跡から退避させる端部１１ａが設けられ、さらにその内側に設けられた１１ｂのストップ部位は、シャッタチャージレバー１１が回動した際、ＭＢ地板２における図上右側に設けられた固定用軸２８に巻回されたストップゴム２７に当接し、シャッタチャージレバー１１のそれ以上の回動をストップさせる。
【００２５】
バウンド防止レバー２４は、固定用の軸２５によってＭＢ地板２に回転自在に固定されて付勢用スプリング２６（図２（Ｂ）には図示せず）で時計方向に付勢され、前記したように立ち曲げ部２４ａがシャッタチャージレバー１１における一端部１１ａによって図の位置に保持されて、可動ミラー１に固定されたミラーアップローラ５の遥動軌跡内から退避している。また、シャッタチャージレバー１１における一端部１１ａが立ち曲げ部２４ａから離れた後は、可動ミラー１が退避位置からファインダ観察位置に復帰するまで、ミラーアップレバー１９によって遥動軌跡内から退避させられているが、可動ミラー１が退避位置からファインダ観察位置に復帰したときにミラーアップレバー１９による退避が解除されるため、バウンド防止部位２４ｂ（図２（Ｂ）参照）によってミラーアップローラ５のバウンドを抑えるが、その直後にシャッタチャージレバー１１における端部１１ａが立ち曲げ部２４ａに当接し、ミラーアップローラ５の遥動軌跡内から退避させられる。
【００２６】
またカムギア６は、図１、図２（Ａ）に示したように、その表面側には位置検出用のカムギア接片７（導電材にて形成）が、内側には前記したように略三角形状のカム６ａが固定され、モータ８と減速ギア列９によって時計回転方向に駆動されるようになっている。
【００２７】
カムギア接片７は櫛歯状に分割された摺動部を有し、一方カメラ７０の本体側には、図６下部に「ミラーダウン検知パターン」、「ミラーアップ検知パターン」、「グランドパターン」として示した３種のパターンが円周方向に形成されている信号基板（図示せず）が設けられ、前記摺動部がこの３種のパターンに接触摺動して所定回転角度毎に必要な信号が得られるようになっている。
【００２８】
２９は、固定用軸３０に回動自在に固定され、付勢用スプリング３１によって反時計方向に付勢されている、可動ミラー１のアップスタート用のミラースタートレバー（以下、ＭＳレバーと略称する）で、このＭＳレバー２９は、可動ミラー１がファインダ観察位置にあるとき（図２）はシャッタチャージレバー１１にその端部２９ｂが当接し、図１、図２に示した状態となっているが、可動ミラー１が退避位置に移動したときは図３（Ｂ）に示したように、端部２９ｂがシャッタチャージレバー１１における凹部に移動して反時計方向に回動する。そのため可動ミラー１が図３に示したように退避位置に移動したとき、ＱＲレバー２１における立ち曲げ部２１ａをこのＭＳレバー２９におけるフック部２９ａが捉え、カムギア６がさらに回転したとき、ＱＲレバー２１によるミラーアップレバー１９の立ち曲げ部１９ａの保持が解除される。
【００２９】
このように構成した本発明になるカメラにおける可動ミラー駆動機構は、カメラ７０のシャッタが押されてレリーズ信号が入力されると、図示されていない制御回路とドライバー回路とに通電が開始されて図１、図２に示したモータ８が駆動され、減速ギア列９を介してカムギア６が時計方向に駆動される。
【００３０】
すると、カムギア６に固定された図２（Ｂ）に示した略三角形状のカム６ａも図６における０度の位置から動き始め、シャッタチャージレバー回動ローラ１７がカム６ａにおける略三角形状の一辺にさしかかって山から落ちると、図３に示したように、シャッタチャージレバー１１を時計回転方向に付勢しているミラーアップスプリング１５の作用により、このシャッタチャージレバー回動ローラ１７がカムギア６の中心軸方向に移動し、シャッタチャージレバー１１も時計回転方向に回動する。
【００３１】
この状態を示したのが、図６の略４０度から８０近くの「６ａ、カム」における下降線であり、この部分でシャッタチャージレバー回動ローラ１７がカム６ａの山から落ちると共に、「１１、シャッタチャージレバー」として示した上昇線の部分でシャッタチャージレバー１１が時計方向に回動してゆく。
【００３２】
そしてミラーアップレバー１９は、その立ち曲げ部１９ａが、シャッタチャージレバー１１に固定されて反時計回転方向に付勢されているＱＲレバー２１におけるフック部２１ｂに保持されているため、図６に「１９、ミラーアップレバー」に示したようにシャッタチャージレバー１１と一緒に回動し、ミラーアップローラ５をミラーアップローラ回動穴２ａの中を押し上げ、可動ミラー１が反時計方向に回動して撮影光路外である図３に示した退避位置に移動する。このとき可動ミラー１は、図示していない退避位置における位置規制部材に当たってバウンドしようとするが、ミラーアップレバー１９における端部１９ｂが図３（Ｂ）からわかるように、ミラーアップローラ５を抑えるように位置しているためにバウンドは最小限で抑えられる。
【００３３】
またバウンド防止レバー２４は、ミラーアップレバー１９によってミラーアップローラ５の遥動軌跡内から退避させられているため、可動ミラー１は余分な抵抗を受けることなく移動することが可能である。そしてＱＲレバー２１も、シャッタチャージレバー１１と一体となって時計方向に回転し、立ち曲げ部２１ａが固定用の軸３０でＭＢ地板２に固定されているＭＳレバー２９のフック部２９ａにはまり込む。ＭＳレバー２９は、前記したように付勢用スプリング３１により反時計方向に付勢されており、この状態は、図６における「２４、バウンド防止レバー」のわずかな上下、「２９、ＭＳレバー」における下降とそれに続く上昇によって表現されている。
【００３４】
そしてシャッタチャージレバー１１におけるストップ部位１１ｂが、固定用の軸２８でＭＢ地板に固定されたストップゴム２７に図３に示したようにぶつかって止まり、一方、シャッタチャージレバー１１の他端にはシャッタチャージピン１３が固定されていて、図示していないシャッタをチャージ位置からシャッタ走行可能位置にする。
【００３５】
また、カムギア６におけるカムギア接片７は、図６における下部に示したミラーダウン検知パターンから離れ、ミラーアップ検知パターンに接触する。それぞれの接触信号は図示されていない制御回路に送られ、カムギア接片７のミラーアップ検知パターンへの接触で、モータ８への通電が停止されてミラーアップ動作が完了する。モータ８は、通電を停止しても慣性の為すぐには停止できず、カムギア６が数十度回転して、図６の６ａに示すカムの谷の平らなところで停止する。
【００３６】
このように可動ミラー１がミラーアップレバー１９によって撮影光路外に退避し、シャッタがシャッタチャージレバー１１によって走行可能位置となると、図示していない制御回路はシャッタの先幕と後幕を走行させ、フィルムまたは撮像素子に露光させる。
【００３７】
そしてシャッタの先幕と後幕の走行が完了すると、モータ８に図示されていない制御回路とドライバー回路によって再度通電が開始され、減速ギア列９を介してカムギア６が再度時計方向に駆動される。
【００３８】
カムギア６は、図６における１３５度の位置から動き始めてほぼ２８０度の位置まで、カム６ａがシャッタチャージレバー回動ローラ１７を比較的ゆっくりと押し上げ、それによってシャッタチャージレバー１１が反時計方向に回転する。そのため、ミラーアップスプリング１５は比較的ゆっくりとチャージされ、次回のミラーアップ動作のためのエネルギーが蓄えられる。
【００３９】
一方ＱＲレバー２１は、図６の「２１、ＱＲレバー」に示したように、この時点ではシャッタチャージレバー１１に固定されているため一体となって反時計方向に回転し始めるが、ＱＲレバー２１の立ち曲げ部２１ａがＭＳレバー２９のフック部２９ａに保持されているため、図４に示したように、付勢用スプリング２３の付勢力に抗して自身の固定用軸２２を中心として時計方向に回転し、フック部２１ｂで保持していたミラーアップレバー１９における立ち曲げ部１９ａの保持が解除される。
【００４０】
そのためミラーアップレバー１９は、図６における「１９、ミラーアップレバー」に示したように、ミラーアップレバースプリング２０の弾性力によってシャッタチャージレバー１１に先行して反時計方向に回転し、可動ミラー１は、ミラーアップローラ５がミラーアップレバー１９の一端１９ｂによる押し上げから解除されるため、ミラーダウンスプリング４の弾性力によって時計方向に回転して図５に示したように、撮影光路内のファインダ観察位置に復帰しようと移動を開始する。この時バウンド防止レバー２４は、シャッタチャージレバー１１における端部やミラーアップレバー１９のいずれとも接触していないが、ミラーアップローラ５の存在によって図６に「２４、バウンド防止レバー」のようにミラーアップローラ５の遥動軌跡側へ多少動くが、その揺動軌跡内に侵入するのは妨げられている。
【００４１】
そして可動ミラー１が撮影光路内のファインダ観察位置に復帰し、そのとき、ミラーストップ１０に激しく衝突して上方にバウンドしようとするが、このときミラーアップローラ５がバウンド防止レバー２４の接触部分から外れ、さらにバウンド防止レバー２４が付勢用スプリング２６によって時計方向に回転することで、図６における「２４、バウンド防止レバー」のようにバウンド防止部位２４ａがミラーアップローラ５の遥動軌跡内に侵入する。そのため可動ミラー１は、バウンド防止部位２４ａに抑えられて非常に小さな範囲でしかバウンドすることができず、図示されていないミラーストップとバウンド防止レバー２４の間でバウンドが収束してゆく。
【００４２】
その後、シャッタチャージレバー１１における一端部１１ａがバウンド防止レバー２４を反時計方向に押し上げ、バウンド防止部位２４ａをミラーアップローラ５の遥動軌跡内から退避させると共に、ＭＳレバー２９における端部２９ｂがこのシャッタチャージレバー１１に当接して時計回りに回動し、ＱＲレバー２１における立ち曲げ部２１ａが開放されて反時計方向に回動する。そのため、ミラーアップレバー１９における立ち曲げ部１９ａがこのＱＲレバー２１におけるフック部２１ｂで保持され、可動ミラー１は次の撮影のための昇降が可能となって図１、図２に示した状態に戻る。
【００４３】
このように駆動源たるモータ８により駆動されるカム６ａでシャッタチャージレバー１１の回動を制御し、可動ミラー１をファインダ観察位置と撮影のための退避位置との間を昇降させることで、動作スタートのための緊定解除とミラーアップスプリング１５のチャージを同一の機構で行うことができ、構造の簡略化を図ることができると共に、バウンド防止レバー２４は必要なときのみ、それも確実に可動ミラー１のバウンドを防止するタイミングでミラーアップローラ５を抑え、高速動作が可能で、しかもミラーのバウンドで像がぶれるということがないカメラにおける可動ミラー駆動機構を提供することができる。
【産業上の利用可能性】
【００４４】
本発明によれば、簡単な構成で、可動ミラーのバウンドによる像のぶれを防止し、かつ、高速動作とが可能なカメラにおける可動ミラー駆動機構を提供することができ、一眼レフカメラの高速化を行うことができる。
【図面の簡単な説明】
【００４５】
【図１】本発明になるカメラにおける可動ミラー駆動機構の全体斜視図で、可動ミラーが撮影光路内のファインダ観察位置にある状態を示したものである。
【図２】（Ａ）は可動ミラーが撮影光路内のファインダ観察位置にある状態における可動ミラー駆動機構を構成する部品の全体配置図、（Ｂ）はさらに（Ａ）の配置図における前面の部品に隠されている部品を含めた全部品の輪郭を示した図である。
【図３】可動ミラーがシャッタレリーズ後に撮影光路外へ退避した退避状態を示した斜視図（Ａ）と各部品の状態を示した図（Ｂ）である。
【図４】撮影終了後に可動ミラーの駆動用スプリングをチャージする動作の初期で、ミラーダウン動作の緊定が外れて退避状態からファインダ観察位置へ復帰する直前の状態を示した斜視図（Ａ）と各部品の状態を示した図（Ｂ）である。
【図５】ミラーダウン動作の緊定が外れて可動ミラーが撮影光路内のファインダ観察位置に復帰した直後の状態を示した斜視図（Ａ）と各部品の状態を示した図（Ｂ）である。
【図６】本発明になる可動ミラー駆動機構の動作タイミングチャートで、カムギア６ａを３６０度回転にさせた場合の各レバーの動きと、カムギア接片７が摺動するコードパターンを示している。
【図７】可動ミラーを有す一眼レフカメラの一例概略断面図である。
【図８】可動ミラーの駆動機構を含めたミラーボックスの斜視図である。
【符号の説明】
【００４６】
１  可動ミラー
１ａ  軸
１ｂ  ミラーアップ軸
２  ＭＢ地板
２ａ  ミラーアップローラ回動穴
３  ミラーボックス
４  ミラーダウンスプリング
５  ミラーアップローラ
６  カムギア
６ａ  カム
７  カムギア接片
８  モータ
９  減速ギア列
１０  ミラーストップ
１１  シャッタチャージレバー
１１ａ  シャッタチャージレバー端部
１１ｂ  ストップ部位
１３  シャッタチャージピン
１４  固定用軸
１５  ミラーアップスプリング
１６  固定用軸
１７  シャッタチャージレバー回動ローラ
１８  スプリング掛け軸
１９  ミラーアップレバー
１９ａ  立ち曲げ部
１９ｂ  ミラーアップレバー端部
２０  ミラーアップレバースプリング
２１  ＱＲレバー
２１ａ  立ち曲げ部
２１ｂ  フック部
２２  固定用軸
２３  付勢用スプリング
２４  バウンド防止レバー
２４ａ  立ち曲げ部
２４ｂ  バウンド防止部位
２５  固定用軸
２６  付勢用スプリング
２７  ストップゴム
２８  固定用軸
２９  ＭＳレバー
２９ａ  フック部
２９ｂ  端部
３０  固定用軸
３１  付勢用スプリング
【図１】
2007034048.tif 000003
【図２】
2007034048.tif 000004
【図３】
2007034048.tif 000005
【図４】
2007034048.tif 000006
【図５】
2007034048.tif 000007
【図６】
2007034048.tif 000008
【図７】
2007034048.tif 000009
【図８】
2007034048.tif 000010